(57)【要約】【課題】  無結節で各種多様な方形網目、或いはこれらの混在する網目変更可能網の提供。【解決手段】  無結節の亀甲目網を作成すると共に、節部を貫通型節或いは千鳥型節となすほか、亀甲目の肩辺と側長辺の寸法を同一若しくは適宜異ならしめた構成とする。このさい、上段列と下段列の亀甲目の側長辺寸法を適宜異ならしめたり、亀甲目の側長辺間に１箇若しくは複数箇の貫通節を形成させたりする。【選択図】      図７
2005307392.tif 000002
【特許請求の範囲】
【請求項１】
無結節の亀甲目網を作成すると共に、節部を貫通型節或いは千鳥型節となすほか、亀甲目の肩辺と側長辺の寸法を同一若しくは適宜異ならしめた構成となしたことを特徴とする無結節網の網目変更可能網。
【請求項２】
上段列と下段列の亀甲目の側長辺寸法を適宜異ならしめたことを特徴とする請求項１記載の無結節網の網目変更可能網。
【請求項３】
亀甲目の側長辺間に１箇若しくは複数箇の貫通節を形成させたことを特徴とする請求項１又は２記載の無結節網の網目変更可能網。
【請求項４】
亀甲目の肩辺寸法と側長辺寸法の比率を１：１〜３の割合になしたことを特徴とする請求項１，２又は３記載の無結節網の網目変更可能網。
【請求項５】
亀甲目の肩辺寸法と側長辺寸法の比率を１：０．４〜０．９の割合になしたことを特徴とする請求項１，２，３又は４記載の無結節網の網目変更可能網。
【発明の詳細な説明】
【技術分野】
【０００１】
本発明は無結節網の網目変更可能網に関する。
【背景技術】
【０００２】
図１２に示すような無結節の菱目網は従来より存在している。この種の網では、一般に、菱目の各辺１’ａ，１’ｂ，１’ｃ，１’ｄに撚を形成され、且つ各辺１’ａ，１’ｂ，１’ｃ，１’ｄの交差点は貫通節２となされている。このさい、貫通節は結節のような球状部の形成されないものであるため、網面に当接する物を損傷しない上で寄与するものである。
【０００３】
ここで、無結節の正方形網目を有する方形状網体を形成するさいの一般例を説明すると、先ず、公知の手法で、図１３Ａに示すような菱目網の円筒状網３’を製作し、次に同図中に傾斜状の一点鎖線で示すように円筒状網３’の周面を菱目の一辺に沿った方向へ切断すると共に、同図中に横方向の一点鎖線で示すようにその長手方向ｆ１へ切断して（或いはその巾方向ｆ２へ切断して）、同図Ｂに示すような裁断網体３’ａを形成するのであり、この後、この裁断網体３’ａの両端部の三角状部３’ａ１を切除し、この切除後に残った裁断網体部分３’ａ２を方形網目を有する方形状網体となす。
【特許文献１】特開２００２−１０５８１９号公報
【発明の開示】
【発明が解決しようとする課題】
【０００４】
上記特開２００２−１０５８１９号は本件特許出願人によるもので、従来技術の問題点解決を可能にするものであるが、本願発明は更にこれを発展させて、即ち従来技術の問題点をクリアした上で各種多様な方形網目、或いはこれらの混在を可能にする無結節網の網目変更可能網の提供を図らんとするものである。
【課題を解決するための手段】
【０００５】
本発明は、無結節の亀甲目網を作成すると共に、節部を貫通型節或いは千鳥型節となすほか、上段列或いは下段列の亀甲目寸法比を同一若しくは異ならしめた構成となしたことを特徴とする。このさい、上段列と下段列の亀甲目の側長辺寸法を適宜異ならしめたり、亀甲目の側長辺間に１箇若しくは複数箇の貫通節を形成させたりするのであり、また亀甲目の肩辺寸法と側長辺寸法の比率を１：１〜３の割合になしたり、或いは１：０．４〜０．９の割合になしたりする。
【発明の効果】
【０００６】
以上のように構成した本発明によれば、亀甲目網としての使用は勿論のこと、方形網としての使用にさいし従来の如き網体の無駄な切断破棄をしたりすることなく、任意の目間隔や寸法形状の方形網体を簡便、安価且つ効率良く提供可能にすることのできるものである。
【０００７】
而して、請求項２記載の発明によれば、１つの網体内に目間隔や寸法形状の異ならしめた方形目を、適宜必要な箇所へ層状に形成させることができることから、これまでにない多機能な使用の展開が図れるものである。
【０００８】
請求項３記載の発明によれば、上記作用効果のほかに比較的大きな網目構成のものも適宜可能になり、且つほつれや破れなどの伝幡を良く防いで耐用年数の向上に寄与するものとなる。
【０００９】
なお、請求項４及び請求項５記載の発明によれば、上記作用効果の顕著な実用化に優れる具現化が図れるものとなる。
【００１０】
図１は本発明に係る無結節亀甲目網の基本的な一実施例の模式図である。該図に見られる通り本発明の基本は無結節の亀甲目網１となされるのであり、１’，１’，１’，・・・は横列段に於ける上段の亀甲目網を、１”，１”，１”，・・・は下段の亀甲目網であり、２は無結節となされる各網目間の節である。ここに無結節２の節には貫通型節と千鳥型節とがあるが、何れの採用であっても良い。
【００１１】
図示例（図１）は上下各横列段の亀甲目網に於ける肩辺ａと側長辺ｂとを同一寸法に形成したものであるが、図２は上記に於ける亀甲目肩辺ａと側長辺ｂとの比率を１：１〜３の比率で異ならしめたものである（図示例は１：２の比率）。
【００１２】
これに対し、別途図３に示す如く亀甲目の肩辺ａと側長辺ｂとを１：０．４〜０．９となしても良い。（図示例は１：０．５の比率）
【００１３】
上記のようにして得られる本発明に係る亀甲目網から、方形状網体を形成するさいは、次の如くなして行う。即ち図４に示す如く円筒編みされた亀甲編体の長手方向ｆ１及び巾方向の特定位置Ｐ１，Ｐ２で適宜一点鎖線の如く切断して方形状の裁断網体３を形成するのである。
【００１４】
而して、この裁断網体３の巾方向ｆ２の両側端縁ｍ１，ｍ２を巾方向ｆ２に引張し、亀甲目１の肩辺ａが裁断網体３の巾方向ｆ２へ一直線状となる状態になすと共に、この状態の下で引張り紐４をその引張りの側端縁ｍ１，ｍ２に添わせて縫い付けるようになすのである。なお、長手方向ｆ１端縁ｍ３，ｍ４についても同様に紐４’を取り付けると良く、図５はこの状態を示すものである。
【００１５】
上記実施例では肩辺ａ及び側長辺ｂを１：１の比率に構成した亀甲目網に係るものであるが、図６は図２で示した１：２の比率となしたものによる方形網の形成を示すものである。上記の図５はその方形目が長方形状になるのに対し、図６では正方形を形成するものになる。而して、これら方形目の寸法間隔や形状は肩辺ａ及び側長辺ｂの寸法割合を適宜変更することにより、希望するものが任意に得られるものとなる。
【００１６】
上記の各実施例では上下の横段列で同一寸法形状の亀甲目を形成したものであるが、図７は適宜異ならしめた例である。即ち該図でｓ列は亀甲目の肩辺ａ及び側長辺ｂが１：１の比率となしたものであるが、ｓ’列は１：０．５の比率となしたものである。而して、図８は上記の亀甲目網を巾方向に引張って形成される方形網目体を示す。
【００１７】
上記は混在する変更方形網目体の一例であるが、適宜その目間隔や大きさ形状を異ならしめたものを必要な距離間隔で層状に形成させることができるのであり、図９は順次上方に向けての方形目間隔や形状を層状（ｓ，ｓ’，ｓ”，・・・）毎に異ならしめた他の例である。
【００１８】
図１０は上記各実施例に於ける亀甲目網の肩辺ａ、及び側長辺ｂの部分拡大組織図であって、肩辺ａは双糸（ｕ，ｕ）の撚糸部を、側長辺ｂは隣り合う双糸（ｕ，ｕ，ｕ’，ｕ’）の合糸による撚糸部が形成されるものとなっている。
【００１９】
上記例では側長辺ｂの全体を両双糸の撚糸部で作成したものを示したが、図１１で示すものは側長辺ｂの中間部に貫通節部ｋを形成し、その他は両者の撚り合わせをしない単一の双糸の構成となしたものである。ところで寸法長の大なる側長辺ｂを形成させるものでは、本例の如き中間距離の外に、適当間隔箇所毎に複数箇の貫通節部ｋを形成させるようにすると良く、或いは、全長を通じて貫通節ｋの形成されるものとなしても良い。このように実施するものでは撚り糸のほつれや破断時の伝幡が局所で簡便に停止できるものとなり、長期間の使用に供させることのできるものとなる。
【００２０】
本発明になる網体はその亀甲目の寸法や形状のままでの使用は勿論のこと、その方形網目の使用にさいしては何ら無駄な裁断屑を生じさせたりすることなく、適宜裁断箇所に引張り紐を取付けるだけで適宜希望の方形網体の使用を可能にすることができるのである。しかも、１つの網体内で目形状や目間隔が適宜異ならしめれるので、機能的で効率良く多用途の使用に供されることができる。なお、本発明に於ける網体の使用素材は、専ら合成繊維（サラン系、ナイロン系、ビニロン系など）を使用するものであるが、綿糸、じん皮繊維などとすることができる。
【図面の簡単な説明】
【００２１】
【図１】本発明に係る無結節網の網目変更可能網の一実施例模式図である。
【図２】上記の変形例である。
【図３】同じく変形例である。
【図４】変形可能網体の裁断例を示す説明図である。
【図５】上記裁断網体の亀甲目で方形目（長方形目）の網体作成を示す説明図である。
【図６】図２の亀甲目で作成される方形目（正方形目）説明図である。
【図７】亀甲目の大きさ寸法を、上下段列で異ならしめた説明図である。
【図８】上記により形成される方形網目の説明図である。
【図９】上記の変化例である。
【図１０】本発明になる亀甲目の部分拡大組織図である。
【図１１】上記の変形例である。
【図１２】従来の無結節の菱目網を示すものである。
【図１３】従来の菱目網から方形網体を製造する例で、Ａは円筒の菱目網を切断する説明図、Ｂは切り出された裁断網体を示す。
【符号の説明】
【００２２】
１      亀甲目網
２      節
３      裁断網体
４      引張り紐
５      引張り紐
ａ      肩辺
ｂ      側長辺
【図１】
2005307392.tif 000003
【図２】
2005307392.tif 000004
【図３】
2005307392.tif 000005
【図４】
2005307392.tif 000006
【図５】
2005307392.tif 000007
【図６】
2005307392.tif 000008
【図７】
2005307392.tif 000009
【図８】
2005307392.tif 000010
【図９】
2005307392.tif 000011
【図１０】
2005307392.tif 000012
【図１１】
2005307392.tif 000013
【図１２】
2005307392.tif 000014
【図１３】
2005307392.tif 000015
【手続補正書】
【提出日】平成16年4月23日(2004.4.23)
【手続補正１】
【補正対象書類名】明細書
【補正対象項目名】００２０
【補正方法】変更
【補正の内容】
【００２０】
本発明になる網体はその亀甲目の寸法や形状のままでの使用は勿論のこと、その方形網目の使用にさいしては何ら無駄な裁断屑を生じさせたりすることなく、適宜裁断箇所に引張り紐を取付けるだけで適宜希望の方形網体の使用を可能にすることができるのである。しかも、１つの網体内で目形状や目間隔が適宜異ならしめれるので、機能的で効率良く多用途の使用に供されることができる。なお、本発明に於ける網体の使用素材は、専ら合成繊維（サラン系、ナイロン系、ビニロン系など）を使用するものであるが、綿糸、紙糸、じん皮繊維などとすることができる。